(57)【要約】      （修正有）【課題】地毛に容易に取り付けることができるエクステンションを提供する。【解決手段】エクステンションは、人毛、人工毛又はこれらの混交毛から成る毛束１と、この毛束１に取り付けられ、地毛に係止する係止部材と、この係止部材は、毛束１に取り付けられた第１の部材２１と、この第１の部材２１に対して回動自在に取り付けられた第２の部材２３とを有し、第１の部材２１は開口部２１ａ（２１ｂ）を有する第１の面２１Ａを有し、第２の部材２３は開口部２１ａ（２１ｂ）に係止する係止片２３ａ（２３ｂ）を有する第２の面２３Ｂを有し、地毛を第１の部材２１の第１の面２１Ａと第２の部材２３の第２の面２３Ｂとで挟持し、該挟持状態を第２の面２３Ｂより突出する係止片２３ａ（２３ｂ）が開口部２１ａ（２１ｂ）に係止して保持するものである。【選択図】図２
0003135250.tif 000002
【実用新案登録請求の範囲】
【請求項１】
人毛、人工毛又はこれらの混交毛から成る毛束と、
この毛束に取り付けられると共に、地毛に係止する係止部材と、
この係止部材は、
前記毛束に取り付けられた第１の部材と、
この第１の部材に対して回動自在に取り付けられた第２の部材とを有し、
前記第１の部材は開口部を有する第１の面を有し、
前記第２の部材は前記開口部に係止する係止片を有する第２の面を有し、
前記地毛を第１の部材の第１の面と第２の部材の第２の面とで挟持し、該挟持状態を    前記第２の面より突出する前記係止片が前記開口部に係止して保持する
ことを特徴とするエクステンション。
【請求項２】
人毛、人工毛又はこれらの混交毛から成る毛束と、
この毛束に取り付けられると共に、地毛に係止する係止部材と、
この係止部材は、
前記毛束に取り付けられた第１の部材と、
この第１の部材に対して回動自在に取り付けられた第２の部材とを有し、
前記第１の部材は開口部を有する第１の面を有し、
前記第２の部材は前記開口部に係止する係止片を有する第２の面を有し、
前記係止片は、前記第２の面より突出し、
前記地毛を前記第１の部材の前記第１の面と前記第２の部材の前記第２の面とで挟持すると共に、前記第１の部材の前記第１の面と前記第２の部材の前記第２の面とで挟持した前記地毛の一部は、前記係止片の先端を覆い、前記係止片と前記係止片に対向する前記開口部の部位で挟持され、該挟持状態を前記第２の面より突出する前記係止片が前記開口部に係止して保持する
ことを特徴とするエクステンション。
【請求項３】
係止片の先端に凹溝が形成され、前記凹溝は、地毛の長手方向に沿うように設けられ、前記凹溝内の前記地毛が前記凹溝から離脱することを防ぐ
ことを特徴とする請求項２記載のエクステンション。
【請求項４】
人毛、人工毛又はこれらの混交毛から成る毛束と、
この毛束に取り付けられると共に、地毛に係止する合成樹脂製の係止部材と、
この係止部材は、
前記毛束に取り付けられた第１の部材と、
この第１の部材に対してヒンジを介して回動自在に取り付けられた第２の部材とを    有し、
前記第１の部材は第１の開口部と第２の開口部を有する第１の面を有し、
前記第１の開口部と前記第２の開口部は並設し、前記第１の開口部は前記ヒンジよ    り前記第２の開口部に近い側にあって、
前記第１の開口部は、前記毛束の長手方向に直交する方向に長い長手形状の開口部    で、
前記第１の開口部の長手方向の両サイドには、それぞれ、前記第１の開口部の長手    方向に沿って第１’の開口部と第１’’の開口部とがそれぞれ形成され、
前記第２の開口部は、前記毛束の長手方向に直交する方向に長い長手形状の開口部    で、
前記第２の開口部の長手方向の両サイドには、それぞれ、前記第２の開口部の長手    方向に沿って第２’の開口部と第２’’の開口部とがそれぞれ形成され、
前記第２の部材は前記第１の開口部に係止する第１の係止片と前記第２の開口部に
係止する第２の係止片とを有する第２の面を有し、
前記第１の係止片及び前記第２の係止片は、前記第２の面より突出し、
前記第１の係止片の先端に第１の凹溝が形成され、前記第１の凹溝は、前記地毛の長  手方向に沿うように設けられ、前記第１の凹溝内の前記地毛が前記第１の凹溝から離脱  することを防ぎ、
前記第２の係止片の先端に第２の凹溝が形成され、前記第２の凹溝は、前記地毛の長  手方向に沿うように設けられ、前記第２の凹溝内の前記地毛が前記第２の凹溝から離脱  することを防ぎ、
前記地毛を前記第１の部材の前記第１の面と前記第２の部材の前記第２の面とで挟持  すると共に、前記第１の部材の前記第１の面と前記第２の部材の前記第２の面とで挟持  した前記地毛の一部は、前記第１の係止片の先端を覆い、前記第１の係止片と前記第１  の係止片に対向する前記第１の開口部の部位で挟持されると共に、前記第２の係止片の  先端を覆い、前記第２の係止片と前記第２の係止片に対向する前記第２の開口部の部位  で挟持され、
該挟持状態を前記第２の面より突出する前記第１の係止片が前記第１の開口部に係止  すると共に、前記第２の係止片が前記第２の開口部に係止して保持する
ことを特徴とするエクステンション。
【請求項５】
毛束は、垂下する複数の人毛、人工毛又はこれらの混交毛の一端をベース部で結束したものである
ことを特徴とする請求項１〜４の何れか一のエクステンション。
【考案の詳細な説明】
【技術分野】
【０００１】
本考案は、エクステンションに係り、特に、地毛に容易に取り付けることができるエクステンションに関する。
【背景技術】
【０００２】
地毛に毛束（付け毛）を取り付けるエクステンションがある（特許文献１参照）。
これは、地毛と毛束（付け毛）とを金属製の筒チップにより、例えば、かしめ工具を使って連結しようとするものである。
【０００３】
しかしながら、金属製の筒チップによる連結は、工具を使用すること、金属製の筒チップにより連結するため、取り付けのみならず、取り外しが容易にできないという問題点があった。
【特許文献１】特開２００６−２９１３８４号公報
【考案の開示】
【考案が解決しようとする課題】
【０００４】
本考案は、前記した問題点を除去するようにしたエクステンションを提供することを目的としている。
【課題を解決するための手段】
【０００５】
前記した目的を達成するための本考案のエクステンションは、人毛、人工毛又はこれらの混交毛から成る毛束と、この毛束に取り付けられると共に、地毛に係止する係止部材と、この係止部材は、前記毛束に取り付けられた第１の部材と、この第１の部材に対して回動自在に取り付けられた第２の部材とを有し、前記第１の部材は開口部を有する第１の面を有し、前記第２の部材は前記開口部に係止する係止片を有する第２の面を有し、前記地毛を第１の部材の第１の面と第２の部材の第２の面とで挟持し、該挟持状態を前記第２の面より突出する前記係止片が前記開口部に係止して保持するものである。
【０００６】
また、請求項２記載のエクステンションは、人毛、人工毛又はこれらの混交毛から成る毛束と、この毛束に取り付けられると共に、地毛に係止する係止部材と、この係止部材は、前記毛束に取り付けられた第１の部材と、この第１の部材に対して回動自在に取り付けられた第２の部材とを有し、前記第１の部材は開口部を有する第１の面を有し、前記第２の部材は前記開口部に係止する係止片を有する第２の面を有し、前記係止片は、前記第２の面より突出し、前記地毛を前記第１の部材の前記第１の面と前記第２の部材の前記第２の面とで挟持すると共に、前記第１の部材の前記第１の面と前記第２の部材の前記第２の面とで挟持した前記地毛の一部は、前記係止片の先端を覆い、前記係止片と前記係止片に対向する前記開口部の部位で挟持され、該挟持状態を前記第２の面より突出する前記係止片が前記開口部に係止して保持するものである。
【０００７】
また、請求項３記載のエクステンションは、請求項２記載のエクステンションにおいて、係止片の先端に凹溝が形成され、前記凹溝は、地毛の長手方向に沿うように設けられ、前記凹溝内の前記地毛が前記凹溝から離脱することを防ぐものである。
【０００８】
また、請求項４記載のエクステンションは、人毛、人工毛又はこれらの混交毛から成る毛束と、この毛束に取り付けられると共に、地毛に係止する合成樹脂製の係止部材と、この係止部材は、前記毛束に取り付けられた第１の部材と、この第１の部材に対してヒンジを介して回動自在に取り付けられた第２の部材とを有し、前記第１の部材は第１の開口部と第２の開口部を有する第１の面を有し、前記第１の開口部と前記第２の開口部は並設し、前記第１の開口部は前記ヒンジより前記第２の開口部に近い側にあって、前記第１の開口部は、前記毛束の長手方向に直交する方向に長い長手形状の開口部で、前記第１の開口部の長手方向の両サイドには、それぞれ、前記第１の開口部の長手方向に沿って第１’の開口部と第１’’の開口部とがそれぞれ形成され、前記第２の開口部は、前記毛束の長手方向に直交する方向に長い長手形状の開口部で、前記第２の開口部の長手方向の両サイドには、それぞれ、前記第２の開口部の長手方向に沿って第２’の開口部と第２’’の開口部とがそれぞれ形成され、前記第２の部材は前記第１の開口部に係止する第１の係止片と前記第２の開口部に係止する第２の係止片とを有する第２の面を有し、前記第１の係止片及び前記第２の係止片は、前記第２の面より突出し、前記第１の係止片の先端に第１の凹溝が形成され、前記第１の凹溝は、前記地毛の長手方向に沿うように設けられ、前記第１の凹溝内の前記地毛が前記第１の凹溝から離脱することを防ぎ、前記第２の係止片の先端に第２の凹溝が形成され、前記第２の凹溝は、前記地毛の長手方向に沿うように設けられ、前記第２の凹溝内の前記地毛が前記第２の凹溝から離脱することを防ぎ、前記地毛を前記第１の部材の前記第１の面と前記第２の部材の前記第２の面とで挟持すると共に、前記第１の部材の前記第１の面と前記第２の部材の前記第２の面とで挟持した前記地毛の一部は、前記第１の係止片の先端を覆い、前記第１の係止片と前記第１の係止片に対向する前記第１の開口部の部位で挟持されると共に、前記第２の係止片の先端を覆い、前記第２の係止片と前記第２の係止片に対向する前記第２の開口部の部位で挟持され、該挟持状態を前記第２の面より突出する前記第１の係止片が前記第１の開口部に係止すると共に、前記第２の係止片が前記第２の開口部に係止して保持するものである。
【０００９】
また、請求項５記載のエクステンションは、請求項１〜４の何れか一のエクステンションにおいて、毛束は、垂下する複数の人毛、人工毛又はこれらの混交毛の一端をベース部で結束したものである。
【考案の効果】
【００１０】
請求項１記載のエクステンションによれば、地毛を毛束に取り付けられた係止部材の第１の部材の第１の面と第２の部材の第２の面とで挟持し、該挟持状態を前記第２の面より突出する係止片が前記第１の面の開口部に係止して保持するため、エクステンションを簡易に地毛に取り付けることができる。
【００１１】
また、請求項２記載のエクステンションによれば、上述した請求項１記載の考案の効果に加え、地毛を第１の部材の第１の面と第２の部材の第２の面とで挟持すると共に、前記第１の部材の第１の面と前記第２の部材の第２の面とで挟持した前記地毛の一部は、前記係止片の先端を覆い、前記係止片と前記係止片に対向する前記開口部の部位で挟持されるため、地毛をエクステンションに装着した状態において、エクステンションが地毛から離脱しにくくなる効果を有する。
【００１２】
また、請求項３記載のエクステンションによれば、上述した請求項２記載の考案の効果に加え、係止片の先端に凹溝が形成され、前記凹溝は、地毛の長手方向に沿うように設けられ、前記凹溝内の前記地毛が前記凹溝から離脱することを防ぐため、地毛をエクステンションに装着した状態において、エクステンションが地毛からより離脱しにくくなる効果を有する。
【００１３】
また、請求項４記載のエクステンションによれば、上述した請求項１、２、３記載の  考案の効果に加え、係止片が増加した分、エクステンションが地毛から「より離脱しにくくなる」効果を有する。
【考案を実施するための最良の形態】
【００１４】
本考案の一実施例であるエクステンションを図面を参照して説明する。
図１〜図１６において、Ｅは地毛Ｚ２（図１５参照）に毛束（付け毛）１を取り付けるエクステンションで、エクステンションＥは、垂下する複数の人毛、人工毛又はこれらの混交毛１１の一端をベース部１２で結束した毛束（付け毛）１と、この毛束（付け毛）１に取り付けられ、地毛Ｚ２に係止する係止部材２とを有する。
なお、毛束（付け毛）１と係止部材２とは、例えば、合成繊維等の糸３（図２参照）で取り付けられ、係止部材２は、例えば、合成樹脂製で、この実施例では、３個設けてある。
【００１５】
３個ある係止部材２は、同じ構成であるため、１個の係止部材２について、以下、説明する。係止部材２は、図２〜図１０に示すように、毛束（付け毛）１に取り付けられた第１の部材２１と、この第１の部材２１に対してヒンジ２２を介して回動自在に取り付けられた第２の部材２３とを有している。
第１の部材２１は第１の開口部２１ａと第２の開口部２１ｂを有する第１の面２１Ａを備えている。この第１の開口部２１ａと第２の開口部２１ｂは、図２に示すように並設し、第１の開口部２１ａはヒンジ２２より第２の開口部２１ｂに近い側にある。
【００１６】
また、第１の開口部２１ａは、毛束（付け毛）１の長手方向に直交する方向に長い長手形状の開口部で、第１の開口部２１ａの長手方向の両サイド、図２で言えば、上下には、それぞれ、第１の開口部２１ａの長手方向に沿って第１’の開口部２１’ａと第１’’の開口部２１’’ａとがそれぞれ形成されている。これは、第１の開口部２１ａに係止する後述する第１の係止片２３ａの係止を容易にするために、第１の開口部２１ａが変形し易くするために設けられているものである。
また、第２の開口部２１ｂは、第１の開口部２１ａと同様に、毛束（付け毛）１の長手方向に直交する方向に長い長手形状の開口部で、第２の開口部２１ｂの長手方向の両サイドには、それぞれ、第２の開口部２１ｂの長手方向に沿って第２’の開口部２１’ｂと第２’’の開口部２１’’ｂとがそれぞれ形成されている。これは、第２の開口部２１ｂに係止する後述する第２の係止片２３ｂの係止を容易にするために、第２の開口部２１ｂが変形し易くするために設けられているものである。
【００１７】
また、第２の部材２３は、図２及び図３に示すように、第１の開口部２１ａに係止する第１の係止片２３ａと第２の開口部２１ｂに係止する第２の係止片２３ｂとを有する第２の面２３Ｂを備え、第１の係止片２３ａ及び第２の係止片２３ｂは、第２の面２３Ｂより突出している（図３参照）。
第１の係止片２３ａの先端には第１の凹溝Ｘが形成され、この第１の凹溝Ｘは、地毛Ｚ２の長手方向に沿うように設けられ、第１の凹溝Ｘ内の地毛Ｚ２が第１の凹溝Ｘから離脱することを防ぐものである（図５、図６、図７、図８及び図１０参照）。
また、第２の係止片２３ｂの先端には、第１の係止片２３ａの先端と同様に、第２の凹溝Ｙが形成され、この第２の凹溝Ｙは、地毛Ｚ２の長手方向に沿うように設けられ、第２の凹溝Ｙ内の地毛Ｚ２が第２の凹溝Ｙから離脱することを防ぐものである（図５、図６、図７、図８及び図１０参照）。
【００１８】
なお、地毛Ｚ２は、図４〜図１０に示すように、第１の部材２１の第１の面２１Ａと第２の部材２３の第２の面２３Ｂとで挟持される（図９参照）と共に、第１の部材２１の第１の面２１Ａと第２の部材２３の第２の面２３Ｂとで挟持した地毛Ｚ２の一部は、図８に示すように、第１の係止片２３ａの先端を覆い、第１の係止片２３ａと第１の係止片２３ａに対向する第１の開口部２１ａの部位で挟持されると共に、第２の係止片２３ｂの先端を覆い、第２の係止片２３ｂと第２の係止片２３ｂに対向する第２の開口部２１ｂの部位で挟持される。
該挟持状態は第２の面２３Ｂより突出する第１の係止片２３ａが第１の開口部２１ａに係止すると共に、第２の係止片２３ｂが第２の開口部２１ｂに係止して保持するようになっている。
その結果、地毛Ｚ２をエクステンションＥに装着した状態において、エクステンションＥが地毛Ｚ２から離脱しにくくなる効果を有する。
【００１９】
エクステンションＥを取り付けるには、例えば、図１１及び図１５に示すように、取り付ける地毛Ｚ２の上に位置して垂下する地毛Ｚ１を上に持ち上げ、エクステンションＥに取り付けられた３個の係止部材の内、第１番目の係止部材２（背面視、左に位置する係止部材２・・・図１２参照）により地毛Ｚ２を挟持し、第２番目の係止部材２（背面視、中央に位置する係止部材２・・・図１３参照）により地毛Ｚ２を挟持し、第３番目の係止部材２（背面視、右に位置する係止部材２・・・図１４参照）により地毛Ｚ２を挟持し、各係止部材２が地毛Ｚ２の側に向くように取り付け、最後に、持ち上げた地毛Ｚ１を垂下させる（図１６参照）。
その結果、エクステンションＥを簡易に地毛Ｚ２に取り付けることができる。
【００２０】
なお、本実施例では、係止部材２を複数（例えば、３個）、設けたが、場合により、係止部材２は、１個でも良く、また、係止部材２の第１の開口部２１ａ、第２の開口部２１ｂ、第１の係止片２３ａ、第２の係止片２３ｂと、それぞれ２個設けたが、場合により、第１の開口部２１ａ、第２の開口部２１ｂの内、第１の係止片２３ａ、第２の係止片２３ｂの内、それぞれ何れか一方を省略して開口部２１ａ(又は２１ｂ）、係止片２３ａ(又は２３ｂ）としても良い。
また、第１の開口部２１ａの両サイドに第１’の開口部２１’ａと第１’’の開口部２１’’ａ、第２の開口部２１ｂの両サイドに第２’の開口部２１’ｂと第２’’の開口部を２１’’ｂをそれぞれ設けたが、場合により、第１’の開口部２１’ａ、第１’’の開口部２１’’ａ、第２’の開口部２１’ｂ、第２’’の開口部２１’’ｂを省略しても良い。
【図面の簡単な説明】
【００２１】
【図１】図１は、本考案の一実施例のエクステンションの概略的正面図である。
【図２】図２は、図１の一部を拡大して示す概略的拡大正面図である。
【図３】図３は、図２の概略的断面図である。
【図４】図４は、本考案の一実施例のエクステンションを地毛に取り付ける状態の概略的正面図である。
【図５】図５は、図４の概略的断面図である。
【図６】図６は、図４の係止片が開口部に係止した状態の概略的断面図である。
【図７】図７は、図６のエクステンションを矢印方向に移動させた状態の概略的断面図である。
【図８】図８は、図６の８−８線による概略的断面図である。
【図９】図９は、図６の９−９線による概略的断面図である。
【図１０】図１０は、図６の係止片の凹溝を拡大して示す概略的一部拡大断面図である。
【図１１】図１１乃至図１４は、地毛にエクステンションを取り付ける状態の概略的図で、図１１は、エクステンションを地毛に取り付ける前の状態の概略的図である。
【図１２】図１２は、エクステンションに取り付けられた３個の係止部材の内、第１番目の係止部材を地毛に取り付ける状態の概略的図である。
【図１３】図１３は、エクステンションに取り付けられた３個の係止部材の内、第２番目の係止部材を地毛に取り付ける状態の概略的図である。
【図１４】図１４は、エクステンションに取り付けられた３個の係止部材の内、第３番目の係止部材を地毛に取り付ける状態の概略的図である。
【図１５】図１５は、図１４の概略的断面図である。
【図１６】図１６は、図１５のエクステンションの上に位置する地毛をおろした状態の概略的断面図である。
【符号の説明】
【００２２】
Ｅ     …エクステンション
１     …毛束
２     …係止部材
２１Ａ …第１の面
２１ａ …開口部
２１ｂ …開口部
２３Ｂ …第２の面
２３ａ …係止片
２３ｂ …係止片
【図１】
0003135250.tif 000003
【図２】
0003135250.tif 000004
【図３】
0003135250.tif 000005
【図４】
0003135250.tif 000006
【図５】
0003135250.tif 000007
【図６】
0003135250.tif 000008
【図７】
0003135250.tif 000009
【図８】
0003135250.tif 000010
【図９】
0003135250.tif 000011
【図１０】
0003135250.tif 000012
【図１１】
0003135250.tif 000013
【図１２】
0003135250.tif 000014
【図１３】
0003135250.tif 000015
【図１４】
0003135250.tif 000016
【図１５】
0003135250.tif 000017
【図１６】
0003135250.tif 000018